(57)【特許請求の範囲】
【請求項１】
相手側の雌型端子に接続される棒状の端子接触部と、電線を保持する電線保持部と、コネクタハウジングに係止される筒状のハウジング係合部とを備えた雄型端子であって、
前記ハウジング係合部の後端側には、絡み防止片が設けられ、
前記絡み防止片は、前記ハウジング係合部の筒状周壁に対する間隙寸法が前記端子接触部の厚み及び幅よりも小さくなるように設定されていることを特徴とする雄型端子。
【請求項２】
前記絡み防止片が、前記筒状周壁の後端縁よりも先端側の内方に設けられていることを特徴とする請求項１に記載の雄型端子。
【請求項３】
前記絡み防止片が、前記ハウジング係合部の底壁に切り起こし形成されることを特徴とする請求項１又は２に記載の雄型端子。
【請求項４】
前記絡み防止片が、前記端子接触部側から切り起こし形成されることを特徴とする請求項１〜３のいずれかに記載の雄型端子。
【発明の詳細な説明】
【０００１】
【発明の属する技術分野】
本発明は、相手側の雌型端子との端子接触部を導電性板材を折り曲げて棒状に形成した雄型端子に関する。
【０００２】
【従来の技術】
図５に示した雄型端子１は、導電性板材を折り曲げて一体成形された圧着端子であり、図示しない相手側の雌型端子に接続される棒状の端子接続部２と、電線８を圧着して保持する電線保持部３と、図示しないコネクタハウジングに収容された際に、係止ランス等に係止されて端子抜けを防止するハウジング係合部４とを備えている。
【０００３】
前記端子接続部２は、折り曲げの基部となる底壁１ａの先端部上に、該底壁１ａの両側縁を折り重ねて棒状に形成してある。
又、前記電線保持部３は、底壁１ａの後端部の両側縁に垂設された一対の電線被覆加締部３ａと一対の芯線加締部３ｂから成り、一対の電線被覆加締部３ａで電線８の被覆部を加締めると共に、一対の芯線加締部３ｂで芯線９を加締めることにより、雄型端子１が電線８の端部に圧着される。
【０００４】
更に、前記ハウジング係合部４は、底壁１ａの略中央部の両側縁に垂設された一対の側壁部４ａを更に折り曲げて断面矩形の筒状に形成することにより、筒状周壁の後端縁５が図示しないコネクタハウジングの可撓ランス等に係止されて端子抜けが防止される。
そして、前記雄型端子１が両端部に圧着された端子付電線１１は、図６に示すように、所定本数に束ねられ、端子部分が保護袋１０で覆われた状態で、次のハーネス組立工程に搬送される。
【０００５】
【発明が解決しようとする課題】
しかしながら、上述の如く棒状に形成された雄型端子１の端子接続部２は、図７に示したように、他の雄型端子１における筒状のハウジング係合部４の後端側開口に先端が嵌まり込み易く、搬送中に保護袋１０で覆われた状態の複数の雄型端子１同士には絡み合いが生じる。
【０００６】
そこで、ハーネス組立工程においては、絡み合ったこれら雄型端子１をほぐさなければならないので、作業効率が低下し、ワイヤハーネスの生産性低下を招くという問題があった。
又、前記ハウジング係合部４の後端側開口に嵌まり込んだ端子接続部２は、変形や傷つけを生じる虞があり、雄型端子１の信頼性低下を招く可能性があった。
【０００７】
従って、本発明の目的は上記課題を解消することに係り、雄型端子の端子相互の絡み合いを防止し、端子接続部の損傷や生産性の低下を招くことがない良好な雄型端子を提供することである。
【０００８】
【課題を解決するための手段】
本発明の上記目的は、相手側の雌型端子に接続される棒状の端子接触部と、電線を保持する電線保持部と、コネクタハウジングに係止される筒状のハウジング係合部とを備えた雄型端子であって、
前記ハウジング係合部の後端側には、絡み防止片が設けられ、
前記絡み防止片は、前記ハウジング係合部の筒状周壁に対する間隙寸法が前記端子接触部の厚み及び幅よりも小さくなるように設定されていることを特徴とする雄型端子により達成される。
【０００９】
上記構成によれば、筒状のハウジング係合部の後端側開口が、絡み防止片により概ね塞がれ、他の雄型端子の端子接触部が嵌まり込むのを阻止するので、端子同士の絡み合いを防止することができる。
【００１０】
尚、好ましくは前記絡み防止片が、ハウジング係合部における筒状周壁の後端縁よりも先端側の内方に設けられることにより、前記筒状周壁の後端縁とコネクタハウジングとの係合に支障をきたすことがない。又、好ましくは前記絡み防止片が、前記ハウジング係合部の底壁に切り起こし形成されることにより、切り起こし形成による該ハウジング係合部の強度低下を最小限に抑えて、最適形状の絡み防止片を設けることが容易である。又、好ましくは前記絡み防止片が、前記端子接触部側から切り起こし形成されることにより、切り起こしにより生じた穴が、ハウジング係合部における筒状周壁の内方に開口されるので、前記絡み防止片に当接した他の雄型端子の端子接触部の先端が、前記穴に導入されるのを防止することができる。
【００１１】
【発明の実施の形態】
以下、添付図面に基づいて本発明の一実施形態に係る雄型端子を詳細に説明する。
図１は本発明の一実施形態に係る雄型端子の縦断面及び底面図、図２は図１のII-II 断面矢視図、図３は図１に示した雄型端子の絡み防止作用を説明する部分断面正面図、図４は図１に示した雄型端子の使用状態を説明する部分断面正面図である。
【００１２】
本実施形態の雄型端子２１は、図１に示したように、導電性板材を折り曲げて一体成形された圧着端子であり、図示しない相手側の雌型端子に接続される棒状の端子接続部２２と、電線８を圧着して保持する電線保持部２３と、図示しないコネクタハウジングに収容された際に、係止ランス３０に係止されて端子抜けを防止するハウジング係合部２４とを備えている（図４、参照）。
【００１３】
前記端子接続部２２は、折り曲げの基部となる底壁２１ａの先端部上に、該底壁２１ａの両側縁を折り重ねて棒状に形成してある。
前記電線保持部２３は、底壁２１ａの後端部の両側縁に垂設された一対の電線被覆加締部２３ａと一対の芯線加締部２３ｂから成り、一対の電線被覆加締部２３ａで電線８の被覆部を加締めると共に、一対の芯線加締部２３ｂで芯線９を加締めることにより、雄型端子２１が電線８の端部に圧着される（図３、参照）。
【００１４】
又、前記ハウジング係合部２４は、底壁１ａの略中央部の両側縁に垂設された一対の側壁部２４ａを更に折り曲げて断面矩形の筒状に形成することにより、筒状周壁の後端縁５が図示しないコネクタハウジングの可撓ランス等に係止されて端子抜けが防止される。
【００１５】
更に、図１及び図２に示したように、前記ハウジング係合部２４の後端側（図１中、右側）には、筒状に形成された該ハウジング係合部２４の筒状周壁の後端縁２５よりも先端側（図１中、左側）で内方に切り起こし形成された絡み防止片２６が垂設されている。
【００１６】
前記絡み防止片２６は、図２に示したように、前記ハウジング係合部２４の筒状周壁を構成している底壁１ａに端子接触部２２側から切り起こし形成されており、前記ハウジング係合部２４の筒状周壁に対する上壁間寸法Ｓ1 、左右側壁間寸法Ｓ2 ，Ｓ3 が、それぞれ前記端子接続部２２の厚みｔ及び幅ｗよりも小さくなるように設定されている。
そこで、前記絡み防止片２６は、前記ハウジング係合部２４の後端側開口を概ね塞ぐことで、他の雄型端子２１の端子接触部２２が嵌まり込むのを阻止することができ、前記後端側開口を完全に塞ぐ必要はない。
【００１７】
即ち、本実施形態の雄型端子２１によれば、筒状のハウジング係合部２４の後端側開口が前記絡み防止片２６により概ね塞がれており、図３に示したように、他の雄型端子２１（図３中、右上方の端子）は、端子接触部２２の先端が前記前記絡み防止片２６に当接することにより、それ以上深く嵌まり込むのを阻止されるので、これら雄型端子２１同士の絡み合いを防止することができる。
又、前記絡み防止片２６が、端子接触部２２側から切り起こし形成されることにより、切り起こしにより生じた穴が、ハウジング係合部２４における筒状周壁の内方に開口されるので、前記絡み防止片２６に当接した他の雄型端子２１の端子接触部２２の先端が、前記穴に導入されてしまう可能性もない。
【００１８】
従って、これら雄型端子２１を両端部に圧着した端子付電線が、図６に示した端子付電線１１と同様に所定本数に束ねられ、端子部分が保護袋１０で覆われた状態で、次のハーネス組立工程に搬送された際にも、これら雄型端子２１同士が絡み合うことは無く、ほぐす手間が省けるので、作業効率が向上し、ワイヤハーネスの生産性を高めることができる。
又、上述の如く絡み合いを防止された前記雄型端子２１は、変形や傷つけを生じる虞が無く、端子接触部２２の接続信頼性を向上することができる。
【００１９】
更に、前記絡み防止片２６は、前記ハウジング係合部２４における筒状周壁の後端縁２５よりも先端側の内方に設けられるので、図４に示したように、前記筒状周壁の後端縁２５を係止して該雄型端子２１の端子抜けを防止するコネクタハウジングの係止ランス３０とは干渉せず、雄型端子２１とコネクタハウジングとの係合に支障をきたすことはない。
【００２０】
又、本実施形態の雄型端子２１では、切り起こし形成された絡み防止片２６がハウジング係合部２４の底壁２１ａに設けられているので、切り起こし形成による該ハウジング係合部２４の強度低下を最小限に抑えて、最適形状（例えば、最大形状）の絡み防止片２６を設けることが容易である。
但し、本発明の雄型端子は、ハウジング係合部２４の底壁２１ａに設けられた構成の前記絡み防止片２６に限定されるものではなく、導電性板材の材質や肉厚の選定によりハウジング係合部の十分な強度が確保できる場合には、該ハウジング係合部の筒状周壁を構成している側壁や上壁に設けることもできる。更に、対向する上壁及び底壁や、左側壁及び右側壁に、それぞれ一対の絡み防止片を設けることもできる。
【００２１】
尚、本発明の雄型端子は、上記実施形態における雄型端子２１の構成に限定されるものではなく、本発明の趣旨に基づいて種々の形態を採りうることは言うまでもない。
例えば、上記実施形態における雄型端子２１は、電線保持部２３が電線８を圧着して保持する圧着端子であるが、電線保持部が電線を圧接する圧接端子として本発明に係る雄型端子を構成することもできる。
【００２２】
【発明の効果】
上述した如き本発明の雄型端子によれば、筒状のハウジング係合部の後端側開口が、絡み防止片により概ね塞がれ、他の雄型端子の端子接触部が嵌まり込むのを阻止するので、端子同士の絡み合いを防止することができる。
又、前記絡み防止片は、ハウジング係合部における筒状周壁の後端縁よりも先端側の内方に設けられるので、前記筒状周壁の後端縁とコネクタハウジングとの係合に支障をきたすことがない。
従って、雄型端子の端子相互の絡み合いを防止し、端子接続部の損傷や生産性の低下を招くことがない良好な雄型端子を提供できる。
【図面の簡単な説明】
【図１】本発明の一実施形態に係る雄型端子の縦断面及び底面図である。
【図２】図１のII-II 断面矢視図である。
【図３】図１に示した雄型端子の絡み防止作用を説明する部分断面正面図である。
【図４】図１に示した雄型端子の使用状態を説明する部分断面正面図である。
【図５】従来の雄型端子の縦断面である。
【図６】図５に示した雄型端子が両端部に圧着された端子付電線の搬送状態を示す説明図である。
【図７】図５に示した雄型端子の絡み合い状態を説明する部分断面正面図である。
【符号の説明】
２１    雄型端子
２１ａ  底壁
２２    端子接触部
２３    電線保持部
２４    ハウジング係合部
２５    後端縁
２６    絡み防止片
【図１】
0003703089.tif 000002
【図２】
0003703089.tif 000003
【図３】
0003703089.tif 000004
【図４】
0003703089.tif 000005
【図５】
0003703089.tif 000006
【図６】
0003703089.tif 000007
【図７】
0003703089.tif 000008